(57)【特許請求の範囲】
【請求項１】
便器（１）と、この便器（１）に供給する洗浄水を貯留する洗浄水タンク（２）と、前記便器（１）からの排出物を貯留する汲み取り槽（３）と、この汲み取り槽（３）の上澄み液を浄化する浄化槽（４）と、前記上澄み液を前記汲み取り槽（３）から前記浄化槽（４）に流入させる上澄み液用配管（５）と、前記浄化槽（４）で浄化された中水を貯留する中水槽（６）と、この中水槽（６）に貯留された中水を前記洗浄水タンク（２）に循環する循環装置（７）とを備え、前記汲み取り槽（３）、前記浄化槽（４）及び前記中水槽（６）は、それぞれの槽本体の一部が地中に埋め込まれて設置され、前記汲み取り槽（３）の上部付近の全面には、濾材（１６）を設けており、この濾材（１６）は、前記便器（１）の下方に設けられた排出物用配管（１０）の投入口（１０ａ）よりも上方であって、前記上澄み液用配管（５）の流入口（５ａ）よりも下方に位置するようにしていることを特徴とする循環式水洗トイレ。
【請求項２】
前記循環装置（７）は、建屋（Ｈ）の屋根（Ｒ）に設置された太陽光発電機（８）から電力が供給されるようにしていることを特徴とする請求項１記載の循環式水洗トイレ。
【請求項３】
浴室（Ｂ）と、この浴室（Ｂ）に温水を供給する太陽光温水器（９）を備えたものとし、前記浴室（Ｂ）は、建屋（Ｈ）の床上に設置され、前記太陽光温水器（９）は、建屋（Ｈ）の屋根（Ｒ）に設置されていることを特徴とする請求項１又は２記載の循環式水洗トイレ。
【発明の詳細な説明】
【技術分野】
【０００１】
この発明は、浄化槽、中水槽などを備え、便器から排出された屎尿を浄化処理し再循環して使用する循環式水洗トイレに関するものである。
【背景技術】
【０００２】
従来から地震などの災害発生地において使用されるのに適したトイレとして、循環式水洗トイレが存在する。震災による被災後の衛生面への対策、対応は非常に遅くなることがあり、通常の水洗トイレでは、上下水道管が寸断されたり、水道施設が機能しない状態が、長期間続いたりして、排泄物の処理に困窮し、垂れ流しにしたり、そのまま地中に埋めたりすると衛生面が悪化するが、循環式水洗トイレにおいてはこのようなことはない。
【０００３】
さらに、公園やイベント会場などでトイレ施設を設営する場合や、水道施設が完備されていない海水浴場やオートキャンプ場などにおいてトイレ施設を設営する場合においても、費用面などにおいて循環式水洗トイレが適したものとなる。
【０００４】
このような循環式水洗トイレとしては、例えば、建屋の二階の床上又は一階の床上に洗浄水タンクを備えた便器を設置し、建屋の一階又は一階の床下の地面の上に浄化槽や中水槽を設置したものが存在する（特許文献１、２）。
【０００５】
さらに、上記したような循環式水洗トイレとしては、建屋の床上に洗浄水タンクを備えた便器を設置し、建屋の近辺の地中に、浄化槽や中水槽のそれぞれの槽本体の全部を埋め込んで設置したものが存在する（特許文献３）。
【０００６】
したがって、このような循環式水洗トイレは、地震などの災害発生時に上下水道管が寸断された場合や、公園やイベント会場、海水浴場やオートキャプ場などにおいて水道施設が完備されていない場合にも、最適なトイレとして使用することができる。
【先行技術文献】
【特許文献】
【０００７】
【特許文献１】特開平１０−５４０６７号公報
【特許文献２】特開平１０−７７６７３号公報
【特許文献３】特開２００２−４５８７２号公報
【発明の概要】
【発明が解決しようとする課題】
【０００８】
上記従来の特許文献１、２に記載された循環式水洗トイレは、浄化槽や中水槽が建屋の床下の地面の上に設置されているため、その設置には掘削作業などを必要とせず簡単に行える。また、これら浄化槽や中水槽に配管する給排水管、連結管なども地面の上に設置されるため、浄化槽や中水槽の設置作業と同様、これらの設置作業も簡単に行え、工事費が安くなる。
【０００９】
しかしながら、これら特許文献１、２に記載された循環式水洗トイレでは、大規模地震が発生した場合に、浄化槽や中水槽が建屋の床下の地面の上に設置されているため不安定であり、地震の振動に耐えきれず、破損して動作しないようになることが多いという問題点を有していた。
【００１０】
さらに、上記従来の特許文献３に記載された循環式水洗トイレは、浄化槽や中水槽が建屋の近辺の地中に全部を埋め込んで設置されているため安定しており、大規模地震が発生した場合にも、地震の振動に耐えることができ、破損することなく、動作しないようになることも少ない。
【００１１】
しかしながら、この特許文献３に記載された循環式水洗トイレでは、浄化槽や中水槽が建屋の近辺の地中に埋め込んで設置されているため、その設置には掘削作業などを必要とし面倒であるという問題点を有していた。また、これら浄化槽や中水槽に配管する給排水管、連結管なども地中に埋め込んで設置されるため、その設置作業が面倒であるという問題点を有していた。
【００１２】
さらに、上記従来の特許文献１〜３に記載された循環式水洗トイレは、便器から排出された屎尿は直接、浄化槽に送られ、この浄化槽ですべて処理されるので、処理能力に優れた浄化槽を必要とし、設備費が高くなったり、浄化槽が大型化するなどの問題点を有していた。
【００１３】
そこで、この発明は、上記従来の問題点を解決するものであり、浄化槽や中水槽の設置作業が簡単に行え、またこれら浄化槽や中水槽に配管する給排水管、連結管などの設置作業も簡単に行え、さらに大規模地震が発生した場合にも、地震の振動に耐えることができ、破損することなく、動作しないようになることも少ないものとなり、しかも設備費が高くなったり、浄化槽が大型化することのない循環式水洗トイレを提供することを目的としてなされたものである。
【課題を解決するための手段】
【００１４】
この発明の循環式水洗トイレは、便器１と、この便器１に供給する洗浄水を貯留する洗浄水タンク２と、前記便器１からの排出物を貯留する汲み取り槽３と、この汲み取り槽３の上澄み液を浄化する浄化槽４と、前記上澄み液を前記汲み取り槽３から前記浄化槽４に流入させる上澄み液用配管５と、前記浄化槽４で浄化された中水を貯留する中水槽６と、この中水槽６に貯留された中水を前記洗浄水タンク２に循環する循環装置７とを備え、前記汲み取り槽３、前記浄化槽４及び前記中水槽６は、それぞれの槽本体の一部が地中に埋め込まれて設置され、前記汲み取り槽３の上部付近の全面には、濾材１６を設けており、この濾材１６は、前記便器１の下方に設けられた排出物用配管１０の投入口１０ａよりも上方であって、前記上澄み液用配管５の流入口５ａよりも下方に位置するようにしている。
【００１９】
この発明の循環式水洗トイレにおいて、前記循環装置７は、建屋Ｈの屋根Ｒに設置された太陽光発電機８から電力が供給されるようにしている。
【００２０】
この発明の循環式水洗トイレにおいて、浴室Ｂと、この浴室Ｂに温水を供給する太陽光温水器９を備えたものとし、前記浴室Ｂは、建屋Ｈの床上に設置され、前記太陽光温水器９は、建屋Ｈの屋根Ｒに設置されている。
【発明の効果】
【００２１】
この発明の循環式水洗トイレは、以上に述べたように構成されているので、浄化槽や中水槽の設置作業が簡単に行え、またこれら浄化槽や中水槽に配管する給排水管、連結管などの設置作業も簡単に行えるので、工事費が安くなる。
【００２２】
さらに、この発明の循環式水洗トイレは、大規模地震が発生した場合にも、地震の振動に耐えることができ、破損することなく、動作しないようになることも少ないものとなり、避難所生活を行う場合などにも非常に適したものとなる。
【００２３】
また、この発明の循環式水洗トイレは、特に浄化能力に優れた浄化槽を必要とせず、設備費が高くなったり、浄化槽が大型化することもない。
【図面の簡単な説明】
【００２４】
【図１】この発明の循環式水洗トイレの一実施形態を示す説明図である。
【図２】この発明の循環式水洗トイレに備えられる汲み取り槽の要部断面図である。
【図３】この発明の循環式水洗トイレの他の実施形態を示す説明図である。
【図４】この発明の循環式水洗トイレのさらに他の実施形態を示す説明図である。
【発明を実施するための形態】
【００２５】
以下、この発明の循環式水洗トイレを実施するための形態を、図面に基づいて詳細に説明する。
【００２６】
この発明の循環式水洗トイレは、図１〜３に示したように、便器１と、この便器１に供給する洗浄水を貯留する洗浄水タンク２と、前記便器１からの排出物を貯留する汲み取り槽３と、この汲み取り槽３の上澄み液を浄化する浄化槽４と、前記上澄み液を前記汲み取り槽３から前記浄化槽４に流入させる上澄み液用配管５と、前記浄化槽４で浄化された中水を貯留する中水槽６と、この中水槽６に貯留された中水を前記洗浄水タンク２に循環する循環装置７とを備えている。
【００２７】
前記汲み取り槽３、浄化槽４及び中水槽６は、それぞれの槽本体の一部が地中に埋め込まれて設置されている。したがって、これら汲み取り槽３、浄化槽４及び中水槽６は、単に地面の上に設置するよりも安定した状態で設置されるものとなる。
【００２８】
さらに、前記汲み取り槽３、浄化槽４及び中水槽６は、それぞれの槽本体の側周の中程にリブｒを突設し、少なくともこれらのリブｒの部分まで地中に埋め込まれたものとしている。このようにすると、設置時にリブｒが地面を押さえ付けることになるので、前記汲み取り槽３、浄化槽４及び中水槽６は、より安定した状態で設置されるものとなる。なお、前記リブｒは、それぞれの槽本体を上下二分割体とし、これらを溶接することにより繋ぎ合わせて一体化するときにできる突出部とすることができるが、このように槽本体を繋ぎ合わせて一体化せず、最初から一体として構成したものでは、その槽本体の側周にリブ材を溶接するなどしている。
【００２９】
図示した実施形態では、複数のトイレ室Ｔにおいて便器１が建屋Ｈの床上に設置され、これら便器１の直ぐ上には、それぞれ洗浄タンク２が備えられている。そして、前記汲み取り槽３、浄化槽４及び中水槽６が建屋Ｈの床下に設置されている。
【００３０】
前記建屋Ｈは、加工した建材を現場で組み立てるようにしたプレハブ方式のものとすることができ、通常家屋の床より少し高めに床Ｆを備えたものとし、階段Ｓを上がり下りして、出入りするようにしている。そして、前記建屋Ｈの屋根Ｒには、後述する雨樋（図示せず）や、太陽光発電機８、太陽光温水器９が設置されている。
【００３１】
前記便器１から洗浄水と共に排出された屎尿は、排出物用配管１０を通って汲み取り槽３に誘導され、この汲み取り槽３に貯留される。
【００３２】
前記汲み取り槽３では、貯留された排出物は満杯になる前に汲み取りを行うが、貯留量を超えた場合は、上澄み液が上澄み液用配管５を通って浄化槽４に送られ、浄化されてから、再び便器１の洗浄水として使用される。
【００３３】
前記浄化槽４では、前記汲み取り槽３の上澄み液以外にも、その側胴上部に設けられた流入口１１から川、池、プールの水などを流入させ浄化して、便器１の洗浄水が不足した場合の補助水として利用され、浄化水は流出管１２を通って中水槽６に誘導され、この中水槽６に貯留される。
【００３４】
前記中水槽６では、降雨時に前記建屋Ｈの屋根Ｒに設置された雨樋の排水配管１３を通って雨水貯留槽１４に貯留された雨水をポンプアップして、前記浄化槽４からの浄化水と共に貯留される。なお、前記中水槽６は、浄化水や雨水で満杯になると、その側胴上部に設けられた放流配管１５から、浄化水や雨水がオバーフローして放流されるようにしている。
【００３５】
そして、この発明の循環式水洗トイレは、前記汲み取り槽３には、この汲み取り槽３の上部近辺であって、前記上澄み液用配管５の流入口５ａの近辺に、この流入口５ａよりも下方に位置するように濾材１６が設けられている。前記便器１の下方には、連結管１７を介して前記排出物用配管１０が設けられており、この排出物用配管１０の投入口１０ａから投入される排出物は、この排出物の投入時に前記濾材１６に触れず、汲み取り槽３に沈殿可能としている。
【００３６】
また、図示していないが、前記汲み取り槽３の上部付近の全面には、濾材１６を設けたものとしてもよい。この場合、濾材１６は、前記便器１の下方に設けられた排出物用配管１０の投入口１０ａよりも上方であって、前記上澄み液用配管５の流入口５ａの流入口よりも下方に位置するようにしている。
【００３７】
前記濾材１６は、網状部材などが用いられており、トイレットペーパーなどの浮遊物を分離し、浄化槽４内に流入しないようにしている。なお、このトイレットペーパーなどの浮遊物や沈殿した排出物は、汲み取り槽３の排出口３ａから汲み取られ、外部に排出され処理される。
【００３８】
したがって、前記汲み取り槽３においては、トイレットペーパーなどの浮遊物や沈殿した排出物が効率的に汲み取られ、上澄み液だけが上澄み液用配管５を通って浄化槽４に送られる。そのため、浄化槽４の処理能力も従来の循環式水洗トイレに使用されている浄化槽４の処理能力を必要としないので、浄化槽４を小型化できると共に設備費も低く抑えることができる。
【００３９】
前記循環装置７は、ポンプ１８、濾過器１９、除菌器２０などを備え、建屋Ｈの床上に設置されており、前記中水槽６に貯留された水を濾過、除菌してから、前記便器１の洗浄水タンク２に給水するようにしている。
【００４０】
さらに、前記循環装置７は、外部電源から電力を供給されるようにしたり、前記建屋Ｈの屋根Ｒに設置された太陽光発電機８から電力が供給されるようにしている。この太陽光発電機８は、発電した電力を充電しておく蓄電池（図示せず）備えたものとしており、この蓄電池には前記太陽光発電機８で発電した電力以外にも、外部電源からの電力を充電しておけるようにしている。
【００４１】
この発明の循環式水洗トイレは、図４に示したように、トイレ室Ｔに隣接して浴室Ｂを備えたものとし、この浴室Ｂに温水を供給する太陽光温水器９を備えたものとしてもよい。
【００４２】
前記浴室Ｂは、建屋Ｈの床上に設置されたものとしており、前記太陽光温水器９は、建屋Ｈの屋根Ｒに設置されたものとしている。
【００４３】
前記浴室Ｂには、浴槽２１、シャワー２２などが設けられており、これら浴槽２１、シャワー２２には給湯器（図示せず）から温水が供給されるようにしたり、前記太陽光温水器９から温水が供給されるようにしている。
【００４４】
前記浴室Ｂからの排水は、前記便器１からの排出物と同様に、連結管１７を介して排出物用配管１０に送られ、便器１からの排出物と一緒になって、排出物用配管１０の投入口１０ａから前記汲み取り槽３に投入されるようにしている。
【００４５】
前記太陽光温水器９には、上水道の水が供給されるようにしたり、前記雨水貯留槽１４の水が供給されるようにしたり、前記中水槽６の水が供給されるようにしている。
【００４６】
さらに、この発明の循環式水洗トイレは、トイレ室Ｔや浴室ＢにはＬＥＤランプなどの照明機器２３が設けられたり、換気扇などの空調機器２４が設けられている。これら照明機器２３や空調機器２４へも、外部電源から電力を供給されるようにしたり、前記建屋Ｈの屋根Ｒに設置された太陽光発電機８から電力が供給されるようにしている。
【００４７】
以上のように構成されたこの発明の循環式水洗トイレは、汲み取り槽３、浄化槽４及び中水槽６のそれぞれの槽本体の全部でなく一部だけが、地中に埋め込まれて設置されているので、これらの設置作業が簡単に行えるものとなり、またこれら汲み取り槽３、浄化槽４及び中水槽６に配管される上澄み液用配管５、排出物用配管１０、流出配管１２、放流配管１５、その他の連結管１７などは、地面の上に設置されるので、これらの設置作業も簡単に行え、工事費が安くなる。
【００４８】
さらに、この発明の循環式水洗トイレは、汲み取り槽３、浄化槽４及び中水槽６のそれぞれの槽本体の一部が、地中に埋め込まれて設置されているので、安定した状態となり、大規模地震が発生した場合にも、地震の振動に耐えることができ、破損することなく、動作しないようになることも少ないものとなり、避難所生活を行う場合などにも非常に適したものとなる。
【００４９】
また、この発明の循環式水洗トイレは、汲み取り槽３においてトイレットペーパーなどの浮遊物や沈殿した排出物が効率的に汲み取られ、上澄み液だけが浄化槽４に送られるため、特に浄化能力に優れた浄化槽４を必要とせず、設備費が高くなったり、浄化槽４が大型化することもない。
【符号の説明】
【００５０】
１  便器
２  洗浄水タンク
３  汲み取り槽
４  浄化槽
５  上澄み液用配管
５ａ  流入口
６  中水槽
７  循環装置
８  太陽光発電機
９  太陽光温水器
１０  排出物用配管
１０ａ  投入口
１６  濾材
Ｂ  浴室
Ｈ  建屋
Ｒ  屋根
ｒ  リブ
【図１】
0005901050.tif 000002
【図２】
0005901050.tif 000003
【図３】
0005901050.tif 000004
【図４】
0005901050.tif 000005